(57)【要約】【課題】水分の影響を受けることなく再利用が可能である機器の脚部用保護部材を提供すること。【解決手段】自動販売機１の底部２に配設されたアジャストボルトＢを保護するための脚部用保護部材１０において、アジャストボルトＢを被覆した態様で、該アジャストボルトＢに離脱可能に装着する装着部を構成する中空部２０、ガード部３０およびスリット部４０ａ，４０ｂを備え、これら中空部２０、ガード部３０およびスリット部４０ａ，４０ｂは、樹脂から形成されたものである。【選択図】      図１
2004318514.tif 000002
【特許請求の範囲】
【請求項１】
機器の底部に配設された脚部を保護するための脚部用保護部材において、
前記脚部を被覆した態様で、該脚部に離脱可能に装着する装着部を備え、
前記装着部は、樹脂から形成されたものであることを特徴とする機器の脚部用保護部材。
【請求項２】
前記装着部は、
前記脚部の周囲を覆うための第１の被覆部と、
前記第１の被覆部の周囲を覆う第２の被覆部と、
前記第１の被覆部の内方域を前記第２の被覆部の外方域へ開放するためのスリットを形成するスリット部と
を備え、
前記第１の被覆部、前記第２の被覆部および前記スリット部を一体的に形成してあり、
前記スリット部は、前記脚部の外形寸法よりも小さい幅を有し、かつ、弾性的に拡開した場合に前記脚部の通過を許容することを特徴とする請求項１に記載の機器の脚部用保護部材。
【請求項３】
前記脚部は、前記機器の水平度調整、あるいは高さ調整のためのボルトであり、
前記装着部は、前記ボルトに装着した場合に該ボルトの頭部と接触する接触部を備え、該接触部を介して前記ボルトと一体的に回転可能であることを特徴とする請求項１または請求項２に記載の機器の脚部用保護部材。
【請求項４】
前記第２の被覆部は、その中心軸方向に沿った全長にわたって該中心軸方向と直交する方向に凹凸形状を成すことを特徴とする請求項２または請求項３に記載の機器の脚部用保護部材。
【発明の詳細な説明】
【０００１】
【発明の属する技術分野】
本発明は、機器の脚部用保護部材に関し、より詳細には、例えば自動販売機等の機器の底部に配設された脚部を保護するための脚部用保護部材に関する。
【０００２】
【従来の技術】
例えば自動販売機等の機器の底部には、その四隅に自動販売機の水平度調整、あるいは高さ調整のための脚部であるアジャストボルトが進退自在に配設してある。そのような自動販売機を運搬、または倉庫に保管する場合には、脚部用保護部材が用いられている。かかる脚部用保護部材は、各アジャストボルトに装着して該アジャストボルトを保護するとともに、自動販売機を支持する機能を有するものである。
【０００３】
図７は、従来の脚部用保護部材を示した組立斜視図であり、図８は、脚部用保護部材にアジャストボルトを組み付ける様子を示した斜視図である。これら図７および図８において、従来の脚部用保護部材１００は、内筒２００と、外筒３００とを備えて構成されていた。内筒２００は、略円筒状の形状を有しており、高さ方向に伸びるスリット部４００が形成されている。また、内筒２００は、図示はしないが、アジャストボルトＢの胴部（ねじ部）Ｂ１が嵌入できる径を有する部分と、アジャストボルトＢの頭部（六角部）Ｂ２が嵌入できる径を有する部分と、アジャストボルトＢのプレート部Ｂ３が嵌入できる径を有する部分とを備えている。一方、外筒３００は、円筒状の形状を有しており、内筒２００を圧入できる大きさの径を有する中空部３１０を備えている。これら内筒２００および外筒３００は、繊維密度が高く座屈強度の大きい紙管原紙から形成されていた。
【０００４】
そのような脚部用保護部材１００は、次のようにしてアジャストボルトＢに装着されていた。脚部用保護部材１００においては、図８に示したように、内筒２００を外筒３００の中空部３１０に圧入させることにより、内筒２００と外筒３００とを係合した状態にする。内筒２００と外筒３００とが係合した状態になった脚部用保護部材１００に対して、自動販売機の底部から取り外したアジャストボルトＢをその胴部Ｂ１を先頭にして該脚部用保護部材１００の下方から嵌入する。その後、脚部用保護部材１００の上端から突出したアジャストボルトＢの胴部Ｂ１を、自動販売機の底部の四隅における所定の個所に工具等を用いてねじ込むことにより、該脚部用保護部材１００をアジャストボルトＢに装着していた（特許文献１）。
【０００５】
【特許文献１】
特開２００２−３７３１９号公報
【０００６】
【発明が解決しようとする課題】
ところで、一般に脚部用保護部材は、上述のように、自動販売機等の機器の運搬、または倉庫に保管する場合に用いられるものであり、雨滴や湿気等の水分に晒される環境下にある。
【０００７】
しかしながら、上記の脚部用保護部材１００は、内筒２００および外筒３００とも紙管原紙からなる紙製のものであるから、水分を容易に吸収してしまうという特質を有している。そのため、脚部用保護部材１００は、その内筒２００および外筒３００が水分を吸収してしまうと、該脚部用保護部材１００の重量が大きくなる、あるいは、該脚部用保護部材１００の形状が変形してしまう等の影響を被ることになる。このような影響を被ると、脚部用保護部材１００は、二度と使用することができなくなってしまい、一旦使用されると殆ど再利用することが困難であり、使用後に焼却処分等により廃棄されていた。このような事態は、環境保護の観点からも好ましいものではない。
【０００８】
本発明は、上記実情に鑑みて、水分の影響を受けることなく再利用することが可能である機器の脚部用保護部材を提供することを目的とする。
【０００９】
【課題を解決するための手段】
上記目的を達成するために、本発明の請求項１に係る機器の脚部用保護部材は、機器の底部に配設された脚部を保護するための脚部用保護部材において、前記脚部を被覆した態様で、該脚部に離脱可能に装着する装着部を備え、前記装着部は、樹脂から形成されたものであることを特徴とする。
【００１０】
また、本発明の請求項２に係る機器の脚部用保護部材は、上記の請求項１において、前記装着部は、前記脚部の周囲を覆うための第１の被覆部と、前記第１の被覆部の周囲を覆う第２の被覆部と、前記第１の被覆部の内方域を前記第２の被覆部の外方域へ開放するためのスリットを形成するスリット部とを備え、前記第１の被覆部、前記第２の被覆部および前記スリット部を一体的に形成してあり、前記スリット部は、前記脚部の外形寸法よりも小さい幅を有し、かつ、弾性的に拡開した場合に前記脚部の通過を許容することを特徴とする。
【００１１】
また、本発明の請求項３に係る機器の脚部用保護部材は、上記の請求項１または請求項２において、前記脚部は、前記機器の水平度調整、あるいは高さ調整のためのボルトであり、前記装着部は、前記ボルトに装着した場合に該ボルトの頭部と接触する接触部を備え、該接触部を介して前記ボルトと一体的に回転可能であることを特徴とする。
【００１２】
また、本発明の請求項４に係る機器の脚部用保護部材は、上記の請求項２または請求項３において、前記第２の被覆部は、その中心軸方向に沿った全長にわたって該中心軸方向と直交する方向に凹凸形状を成すことを特徴とする。
【００１３】
【発明の実施の形態】
以下に添付図面を参照して、本発明に係る機器の脚部用保護部材の好適な実施の形態について詳細に説明する。尚、以下においては、説明の便宜上、機器の一例を自動販売機とし、脚部の一例をアジャストボルトとして説明する。アジャストボルトＢ（図８参照）は、上述したように、自動販売機の底部の四隅に進退自在に配設してある。かかるアジャストボルトＢは、自動販売機の水平度調整、あるいは高さ調整をするために用いられるものである。
【００１４】
図１は、本発明の実施の形態に係る脚部用保護部材を示した斜視図であり、図２は、図１における脚部用保護部材の平面図、図３は、図１における脚部用保護部材の底面図、図４は、図２における脚部用保護部材のＸ−Ｘ線断面図である。これら図１〜図４において、脚部用保護部材１０は、中空部（第１の被覆部）２０と、ガード部（第２の被覆部）３０と、スリット部４０ａ，４０ｂとを備えて構成してある。
【００１５】
中空部２０は、脚部用保護部材１０の中央領域に位置しており、該脚部用保護部材１０の高さ方向に伸びるよう配設してある。この中空部２０は、詳細は後述するが、アジャストボルトＢへの装着時において該アジャストボルトＢを被覆するためのものである（図５および図６参照）。
【００１６】
また、中空部２０は、第１の挿通部２１、係合部（接触部）２２および第２の挿通部２３を有している。第１の挿通部２１は、アジャストボルトＢの胴部Ｂ１の外径と同じ、あるいはそれよりも若干大きい径を有しており、該胴部Ｂ１を被覆するためのものである。係合部２２は、第１の挿通部２１の下方に位置している。この係合部２２は、アジャストボルトＢの頭部Ｂ２に適合する形状を有しており、詳細は後述するが、脚部用保護部材１０をアジャストボルトＢに装着する際に該頭部Ｂ２と係合するものである。第２の挿通部２３は、係合部２２の下方に位置している。この第２の挿通部２３は、アジャストボルトＢのプレート部Ｂ３の外径と同じ、あるいはそれよりも若干大きい径を有している。
【００１７】
ガード部３０は、中空部２０の周囲を覆う態様で形成してある。ガード部３０と中空部２０との間には、上方に開口する凹所３１と、リブ３３とが設けられている。ガード部３０には、その高さ方向（中心軸方向）に沿った全長にわたって該高さ方向と直交する方向に凹形状となる凹部３２ａ，３２ｂ，３２ｃが形成してある。
【００１８】
スリット部４０ａ，４０ｂは、中空部２０の内方域をガード部３０の外方域へ開放するためのスリットＳを形成するためのものである。かかるスリット部４０ａ，４０ｂは、中空部２０とガード部３０との間において、該中空部２０の高さ方向に伸びるよう形成してある。このスリット部４０ａ，４０ｂは、中空部２０（第１の挿通部２１）に向かうにしたがって互いの幅（スリット幅）が漸次小さくなる態様になっている。最も第１の挿通部２１に近接する位置の近接スリット部４１ａ，４１ｂのスリット幅、すなわち、第１の挿通部２１におけるスリット幅は、アジャストボルトＢの胴部Ｂ１の外径より小さくしてある。
【００１９】
上記の脚部用保護部材１０において、中空部２０、ガード部３０およびスリット部４０ａ，４０ｂは、それぞれ樹脂から形成されるとともに、それらが一体的に形成されている。ここに、樹脂としては、例えば合成樹脂等の一般に用いられている周知なものである。また、中空部２０、ガード部３０およびスリット部４０ａ，４０ｂは、凹所３１を設けたことにより、該中空部２０、ガード部３０およびスリット部４０ａ，４０ｂのそれぞれが弾性的に変形することができるのに十分な大きさを有している。従って、中空部２０、ガード部３０およびスリット部４０ａ，４０ｂは、それぞれが可撓性を有するものになる。
【００２０】
また、この脚部用保護部材１０は、その高さ方向の長さがアジャストボルトＢの長さよりも短くしてある。より詳細に説明すると、脚部用保護部材１０は、その高さ方向の長さがアジャストボルトＢの胴部Ｂ１の長さよりも短くしてある。
【００２１】
以上のような構成を有する脚部用保護部材１０は、次のようにしてアジャストボルトＢに装着することになる。前提として、自動販売機１（図５および図６参照）の底部２（図５および図６参照）の四隅に進退自在に配設された各アジャストボルトＢは、進出移動して該底部２から突出している胴部Ｂ１の長さを、予め脚部用保護部材１０の高さよりも大きい状態にしてある。
【００２２】
そのような状態のアジャストボルトＢに対して、側方から脚部用保護部材１０を接近させる。換言すると、脚部用保護部材１０のスリットＳにアジャストボルトＢ（胴部Ｂ１）を進入させる。そうすると、脚部用保護部材１０は、そのスリット部４０ａ，４０ｂ、特に近接スリット部４１ａ，４１ｂが、アジャストボルトＢの胴部Ｂ１と当接することになるが、該脚部用保護部材１０は可撓性を有するため、第１の挿通部２１（中空部２０）が撓むことになる。これにより、スリット部４０ａ，４０ｂが弾性的に拡開して、該第１の挿通部２１におけるスリット幅が大きくなる。その結果、脚部用保護部材１０は、その第１の挿通部２１（中空部２０）の内部に胴部Ｂ１を進入させた状態になる。
【００２３】
そして、中空部２０の内部にアジャストボルトＢの胴部Ｂ１を進入させた状態で、脚部用保護部材１０を下方に移動させることにより、該脚部用保護部材１０は、その係合部２２がアジャストボルトＢの頭部Ｂ２と係合状態になる。このとき、第１の挿通部２１は、アジャストボルトＢの胴部Ｂ１を挿通させた態様で被覆しており、第２の挿通部２３は、プレー部Ｂ３を挿通させた状態で被覆している。
【００２４】
そのような係合状態では、脚部用保護部材１０は、アジャストボルトＢと一体的に回転可能な状態になる。その状態で、作業者等がガード部３０の凹部３２ａ，３２ｂ，３２ｃのいずれかに指を引っ掛けて脚部用保護部材１０をアジャストボルトＢと一体的に回転させることにより、該脚部用保護部材１０は、該アジャストボルトＢの胴部Ｂ１を退避移動させることができるとともに、自らも該胴部Ｂ１と共に退避移動することになる。その結果、脚部用保護部材１０は、その上端部分が自動販売機１の底部２に当接することになる。この当接により脚部用保護部材１０は、回転を停止し、図５に示したように、アジャストボルトＢに装着することになる。その状態では、脚部用保護部材１０は、その第１の挿通部２１が、底部２から突出した状態の胴部Ｂ１を挿通させた態様で被覆し、その第２の挿通部２３がプレート部Ｂ３を挿通させた態様で被覆することになる。
【００２５】
その後、所定の梱包材により自動販売機１を梱包して、該自動販売機１を運搬、あるいは図６に示すように倉庫に保管する。このように運搬、保管時には、脚部用保護部材１０は、床の上で自動販売機１を支持することになる。
【００２６】
そして、自動販売機１の据付現場において、脚部用保護部材１０は、次のようにしてアジャストボルトＢから離脱することになる。自動販売機１を例えばフォークリフトやジャッキ等により据付面より浮かせた状態にさせる。その状態で、作業者等がガード部３０の凹部３２ａ，３２ｂ，３２ｃのいずれかに指を引っ掛けて脚部用保護部材１０をアジャストボルトＢと一体的に回転させることにより、該脚部用保護部材１０は、該アジャストボルトＢの胴部Ｂ１を進出移動させることができるとともに、自らも該胴部Ｂ１と共に進出移動することになる。その結果、脚部用保護部材１０は、その上端部分が自動販売機１の底部２と離間した状態になる。作業者がスリット部４０ａ，４０ｂを拡開させることにより、脚部用保護部材１０は、そのスリット幅が大きくなり、アジャストボルトＢから容易に離脱することになる。この脚部用保護部材１０は、離脱後は元の形状に復元する。
【００２７】
その後、自動販売機１を据付面に設置し、アジャストボルトＢを適宜回転させて底部２からの突出量を調整し、該自動販売機１の水平度調整、あるいは高さ調整を行って自動販売機１の据付作業を終了する。
【００２８】
以上のような脚部用保護部材１０によれば、その中空部２０、ガード部３０およびスリット部４０ａ，４０ｂのそれぞれが樹脂から形成されているので、水分の影響を受けることはない。そのため、脚部用保護部材１０の使用時において該脚部用保護部材１０が水分の影響を受けないよう留意する必要がなく、取り扱いが容易になる。また、脚部用保護部材１０は、上述のように樹脂から形成されているので、可撓性を有するものになる。そのため、元の形状に容易に復元することができ、回収して再利用することが可能である。従って、使用する度に廃棄する必要がなく、環境にもやさしいものになる。また、脚部用保護部材１０は、樹脂から形成されているので、紙製の従来のものに比べ、その重量は小さくなり、軽量化を図ることができる。
【００２９】
また、上記の脚部用保護部材１０によれば、その中空部２０、ガード部３０およびスリット部４０ａ，４０ｂが一体的に形成してあるので、例えば射出成形等によって容易に製作することができ、従来の脚部用保護部材１００のように複数の構成部材（内筒２００、外筒３００）を別個に製作する必要はない。そのため、脚部用保護部材１０を大量に製造する場合においても、従来に比して製作工数を大幅に削減することができ、製造に要するコストを低減させることができる。
【００３０】
更に、上記の脚部用保護部材１０によれば、その特有の形状からアジャストボルトＢを自動販売機１の底部２から取り外すことなしに該アジャストボルトＢに装着することができるとともに、該アジャストボルトＢから離脱することができる。
【００３１】
また、上記の脚部用保護部材１０によれば、係合部２２がアジャストボルトＢの頭部Ｂ２と係合状態になって、アジャストボルトＢと一体的に回転することができる。これにより、アジャストボルトＢに装着しているときに該アジャストボルトＢを底部２に対して進退移動させることができ、該アジャストボルトＢの取り外しおよび締付調整を行うことができる。従って、従来のように工具等を必要とはしない。
【００３２】
また更に、上記の脚部用保護部材１０によれば、ガード部３０には凹部３２ａ，３２ｂ，３２ｃが形成してあるので、該脚部用保護部材１０を回転させることが容易になって作業性を向上させるばかりでなく、圧縮荷重に対する強度を向上させることができる。
【００３３】
【発明の効果】
以上説明したように、請求項１に記載の発明によれば、装着部が樹脂から形成されたものであるので、水分の影響を受けることはなく、しかも可撓性を有するものになる。また、装着部が脚部に離脱可能に装着しているので再利用することができる。
【００３４】
また、請求項２に記載の発明によれば、スリット部は、脚部の外形寸法よりも小さい幅を有し、かつ、弾性的に拡開した場合に前記脚部の通過を許容することができるので、水分の影響を受けることなく、再利用することができる。また、第１の被覆部、第２の被覆部およびスリット部が一体的に形成されているので、例えば射出成形等によって容易に製作することができ、しかも製作工数を大幅に削減することができて製造に要するコストを低減させることができる。
【００３５】
また、請求項３に記載の発明によれば、装着部がボルトに装着した場合に該ボルトの頭部と接触する接触部を備え、該接触部を介してボルトと一体的に回転可能であるので、ボルトに装着した状態で該ボルトの取り外しおよび締付調整を行うことができる。
【００３６】
また、請求項４に記載の発明によれば、第２の被覆部は、その中心軸方向に沿った全長にわたって該中心軸方向と直交する方向に凹凸形状を成しているので、脚部用保護部材を回転させる際の作業性を向上させるばかりでなく、圧縮荷重に対する強度を向上させることができる。
【図面の簡単な説明】
【図１】本発明の実施の形態に係る脚部用保護部材を示した斜視図である。
【図２】図１における脚部用保護部材の平面図である。
【図３】図１における脚部用保護部材の底面図である。
【図４】図２における脚部用保護部材のＸ−Ｘ線断面図である。
【図５】アジャストボルトへの装着状態を示した斜視図である。
【図６】本発明の実施の形態に係る脚部用保護部材が装着された自動販売機の保管状態を示した斜視図である。
【図７】従来の脚部用保護部材を示した組立斜視図である。
【図８】脚部用保護部材にアジャストボルトを組み付ける様子を示した斜視図である。
【符号の説明】
１        自動販売機
２        底部
１０      脚部用保護部材
２０      中空部
２１      第１の挿通部
２２      係合部
２３      第２の挿通部
３０      ガード部
３１      凹所
３２ａ，３２ｂ，３２ｃ      凹部
３３      リブ
４０ａ，４０ｂ      スリット部
４１ａ，４１ｂ      近接スリット部
Ｓ      スリット
Ｂ      アジャストボルト
Ｂ１      胴部
Ｂ２      頭部
Ｂ３      プレート部
【図１】
2004318514.tif 000003
【図２】
2004318514.tif 000004
【図３】
2004318514.tif 000005
【図４】
2004318514.tif 000006
【図５】
2004318514.tif 000007
【図６】
2004318514.tif 000008
【図７】
2004318514.tif 000009
【図８】
2004318514.tif 000010